(57)【特許請求の範囲】
【請求項１】
対象室に設置するスピーカユニット、及び、このスピーカユニットに対するリモートコントローラを備え、
前記スピーカユニットには、音源機器から送られる音声データを受信する音源用通信部と、この音源用通信部が受信した音声データを再生処理する再生部と、この再生部が再生処理した音声を出力するスピーカ部とを装備するとともに、
前記リモートコントローラから付与される操作指令に応じて前記スピーカユニットを操作する制御部を装備してある音響システムであって、
前記音源用通信部は、音源機器から音源用無線通信により直接に送られる音声データを受信して前記再生部に送る構成にし、
前記リモートコントローラは、操作指令としてユニット操作指令及び音源操作指令を選択的に操作用無線通信により前記制御部に付与する構成にし、
前記制御部は、前記ユニット操作指令に応じ前記スピーカユニットを操作するとともに、前記音源操作指令に応じ前記音源用通信部からの前記音源用無線通信を用いて前記音源機器を操作する構成にし、
前記制御部は、前記リモートコントローラから前記操作用無線通信により付与される音源登録指令に応じ前記音源用通信部から探索用無線信号を発信させて、その探索用無線信号を受信した音源機器からその音源機器の機器情報を前記音源用無線通信により返信させることで、登録処理として、その機器情報を前記スピーカユニットにおける記憶部に格納し、
その後、前記リモートコントローラから前記操作用無線通信により付与される音源接続指令に応じて、前記記憶部に格納した機器情報に基づき、音源機器と前記音源用通信部との間での前記音源用無線通信を接続するとともに、
前記リモートコントローラから前記操作用無線通信により付与される前記音源操作指令に応じて、前記記憶部に格納した機器情報に基づき、前記音源用通信部からの前記音源用無線通信を用いて前記音源機器を操作する構成にしてある音響システム。
【請求項２】
前記制御部は、複数の音源機器の各々に対する前記登録処理において、それら音源機器の機器情報を識別コードと関連付けした状態で並列的に前記記憶部に格納し、
その後、識別コードの指定を伴う状態で前記リモートコントローラから付与される前記音源接続指令に応じて、その指定識別コードに関連付けられた状態で前記記憶部に格納されている機器情報に基づき、その格納機器情報に対応する音源機器と前記音源用通信部との間での前記音源用無線通信を接続する構成にしてある請求項１記載の音響システム。
【請求項３】
前記制御部は、タイマによる計時において設定時点に至ると、又は、タイマによる計時において前記登録処理から設定時間が経過すると、前記記憶部に格納してある音源機器の機器情報を消去する構成にしてある請求項１又は２記載の音響システム。
【請求項４】
前記スピーカユニットに通報入力端子を装備し、
前記制御部は、この通報入力端子に通報信号が入力されたとき、音源機器から送られる音声データの再生出力を停止する構成にしてある請求項１〜３のいずれか１項に記載の音響システム。
【請求項５】
前記制御部は、前記スピーカ部から出力する再生音声の音量を前記リモートコントローラから前記ユニット操作指令として付与される音量調整指令に応じて調整する構成にし、
この音量調整の調整範囲上限を変更する最大音量設定部を前記リモートコントローラ又は前記スピーカユニットに装備してある請求項１〜４のいずれか１項に記載の音響システム。
【請求項６】
前記制御部は、前記音源用無線通信により音源機器から前記音源用通信部に送られる音声データとして、その音源機器の電話機としての使用で発生する通話音声信号が送られたとき、通話検出部による通話音声信号の検出に基づいて前記スピーカ部からの再生音声の出力を停止する、又は、予め設定された装飾音声を前記スピーカ部から出力させる構成にしてある請求項１〜５のいずれか１項に記載の音響システム。
【請求項７】
前記スピーカユニットは、対象室の天井部において前記スピーカ部を対象室内に臨ませる配置で前記天井部の天井裏側に設置し、
そのスピーカユニットには電源入力端子を設けてある請求項１〜６のいずれか１項に記載の音響システム。
【請求項８】
前記スピーカ部に防水手段を施すとともに、前記リモートコントローラを浴室内での使用が可能な防水構造にしてある請求項７記載の音響システム。
【請求項９】
前記音源用無線通信がＢｌｕｅｔｏｏｔｈ（登録商標）規格の無線通信である請求項１〜８のいずれか１項に記載の音響システム。
【発明の詳細な説明】
【技術分野】
【０００１】
本発明は、オーディオプレーヤやプレーヤ機能を備えるスマートフォンなどの音源機器と組み合わせて用いる音響システムに関し、特に無線通信が可能なポータブル型の音源機器と組み合わせて用いるのに適した音響システムに関する。
【０００２】
具体的には、対象室に設置するスピーカユニット、及び、このスピーカユニットに対するリモートコントローラを備え、スピーカユニットには、音源機器から送られる音声データを受信する音源用通信部と、この音源用通信部が受信した音声データを再生処理する再生部と、この再生部が再生処理した音声を出力するスピーカ部とを装備するとともに、リモートコントローラから付与される操作指令に応じてスピーカユニットを操作する制御部を装備してある音響システムに関する。
【背景技術】
【０００３】
従来、この種の音響システムとして、図６に示すように、ＣＤプレーヤやテレビなどの音源機器Ａの音声出力端子から通信ケーブルＣを通じて入力する音声信号ａを無線音声信号ａ’に変換して送信する送信器Ｍと、
浴室１に設置された状態で、送信器Ｍからの無線音声信号ａ’を音源用通信部で受信するとともに再生部で再生処理して、その再生音声Ｓを内臓スピーカから浴室１内に出力するスピーカユニットＵと、
浴室１内において無線操作信号ｂによりスピーカユニットＵを操作するリモートコントローラＲとを備える音響システムが提案されている（特許文献１参照）。
【先行技術文献】
【特許文献】
【０００４】
【特許文献１】特開２００８−１９３１８９
【発明の概要】
【発明が解決しようとする課題】
【０００５】
しかし、この従来の音響システムでは、スピーカユニットＵとは別に、防水上で浴室１の外部に設置して通信ケーブルＣにより音源機器Ａと接続する送信器Ｍを必要とするため、システム構成が煩雑で使い勝手が悪い問題があった。
【０００６】
また、リモートコントローラＲからの無線操作信号ｂにより浴室１内においてスピーカユニットＵを容易に操作し得るものの、そのリモートコントローラＲによる操作はスピーカユニットＵのＯＮ／ＯＦＦ操作やスピーカユニットＵでの再生音声の音量調整などに限られ、浴室１外にある音源機器Ａの操作（例えば、音源機器Ａに対する再生楽曲の選曲操作や再生一時停止操作など）は行なうことができず、この点においても使い勝手が悪い問題があった。
【０００７】
この実情に鑑み、本発明の主たる課題は、合理的なシステム構成にすることで上記の如き問題を効果的に解消する点にある。
【課題を解決するための手段】
【０００８】
本発明の第１特徴構成は音響システムに係り、その特徴は、
対象室に設置するスピーカユニット、及び、このスピーカユニットに対するリモートコントローラを備え、
前記スピーカユニットには、音源機器から送られる音声データを受信する音源用通信部と、この音源用通信部が受信した音声データを再生処理する再生部と、この再生部が再生処理した音声を出力するスピーカ部とを装備するとともに、
前記リモートコントローラから付与される操作指令に応じて前記スピーカユニットを操作する制御部を装備してある音響システムであって、
前記音源用通信部は、音源機器から音源用無線通信により直接に送られる音声データを受信して前記再生部に送る構成にし、
前記リモートコントローラは、操作指令としてユニット操作指令及び音源操作指令を選択的に操作用無線通信により前記制御部に付与する構成にし、
前記制御部は、前記ユニット操作指令に応じ前記スピーカユニットを操作するとともに、前記音源操作指令に応じ前記音源用通信部からの前記音源用無線通信を用いて前記音源機器を操作する構成にし、
前記制御部は、前記リモートコントローラから前記操作用無線通信により付与される音源登録指令に応じ前記音源用通信部から探索用無線信号を発信させて、その探索用無線信号を受信した音源機器からその音源機器の機器情報を前記音源用無線通信により返信させることで、登録処理として、その機器情報を前記スピーカユニットにおける記憶部に格納し、
その後、前記リモートコントローラから前記操作用無線通信により付与される音源接続指令に応じて、前記記憶部に格納した機器情報に基づき、音源機器と前記音源用通信部との間での前記音源用無線通信を接続するとともに、
前記リモートコントローラから前記操作用無線通信により付与される前記音源操作指令に応じて、前記記憶部に格納した機器情報に基づき、前記音源用通信部からの前記音源無線通信を用いて前記音源機器を操作する構成にしてある点にある。
【０００９】
この構成によれば、音源用無線通信により音源機器から直接に送られる音声データをスピーカユニットで受信及び再生して、その再生音声をスピーカユニットのスピーカ部から対象室内に出力するから、無線通信の採用により音源機器及びスピーカユニット夫々の設置自由度を高くしながらも、先述した従来の音響システム（図６）における送信器や通信ケーブルなどの介在機器類の設置が不要になる。
【００１０】
また、ユニット操作指令を操作用無線通信によりリモートコントローラからスピーカユニットの制御部に付与することで、そのスピーカユニットに対する操作を容易に行えるのに加えて、同様に音源操作指令を操作用無線通信によりリモートコントローラからスピーカユニットの制御部に付与することで、スピーカユニットにおける音源用通信部と音源機器との間での音源用無線通信をさらに有効利用して音源機器に対する操作も容易に行うことができる。
【００１１】
これらの点で、この構成によれば先述した従来の音響システムなどに比べ使い勝手の面で一層優れた音響システムにすることができる。
【００１２】
なお、この構成の実施において、ユニット操作指令によるスピーカユニットの操作、及び、音源操作指令による音源機器の操作は夫々、どのような操作であってもよい。
【００１３】
また、この構成の実施において、音源用無線通信及び操作用無線通信には夫々、種々の規格の無線通信を採用することができるが、音源用無線通信には、スピーカユニットを中心とする半径十数ｍ程度の範囲内において壁などのある程度の障害物にかかわらず安定的に通信を確立し得る電波式の近距離無線通信を採用するのが望ましい。
【００１４】
上述したように、前記制御部は、前記リモートコントローラから前記操作用無線通信により付与される音源登録指令に応じ前記音源用通信部から探索用無線信号を発信させて、その探索用無線信号を受信した音源機器からその音源機器の機器情報を前記音源用無線通信により返信させることで、登録処理として、その機器情報を前記スピーカユニットにおける記憶部に格納し、
その後、前記リモートコントローラから前記操作用無線通信により付与される音源接続指令に応じて、前記記憶部に格納した機器情報に基づき、音源機器と前記音源用通信部との間での前記音源用無線通信を接続するとともに、
前記リモートコントローラから前記操作用無線通信により付与される前記音源操作指令に応じて、前記記憶部に格納した機器情報に基づき、前記音源用通信部からの前記音源無線通信を用いて前記音源機器を操作する構成にしてある。
【００１５】
従って、音源登録指令を操作用無線通信によりリモートコントローラからスピーカユニットの制御部に付与するだけで、スピーカユニット周りで音源用無線通信が可能な範囲内にある音源機器の機器情報を登録処理として記憶部に格納することができて、通信接続対象の音源機器をスピーカユニットに対して容易に登録することできる。
【００１６】
また、この登録後は、音源接続指令や音源操作指令を操作用無線通信によりリモートコントローラから制御部に付与すると、音源機器に対する通信接続操作や音源用無線通信を用いた音源機器の操作が記憶部に格納した機器情報に基づいて制御部により実行されることで、それら通信接続操作や音源機器の操作も簡便ながら確実かつ円滑に行なうことができ、これらの点で一層使い勝手のよい音響システムにすることができる。
【００１７】
しかも、この構成によれば、スピーカユニットの音源用通信部と音源機器との間における音源用無線通信を接続するのに、リモートコントローラからの音源登録指令による登録処理とリモートコントローラからの音源接続指令による通信接続処理とが必要なことから、他の無線通信機器がスピーカユニットに対して不測に通信接続されてしまうことも確実に防止することができる。
【００１８】
ここで、本発明に係る音響システムの前記制御部は、複数の音源機器の各々に対する前記登録処理において、それら音源機器の機器情報を識別コードと関連付けした状態で並列的に前記記憶部に格納し、
その後、識別コードの指定を伴う状態で前記リモートコントローラから付与される前記音源接続指令に応じて、その指定識別コードに関連付けられた状態で前記記憶部に格納されている機器情報に基づき、その格納機器情報に対応する音源機器と前記音源用通信部との間での前記音源用無線通信を接続する構成にしてあると好適である。
【００１９】
この構成によれば、音源用無線通信が可能な音源機器であれば、複数の音源機器をスピーカユニットに登録することができ、また、それら登録した音源機器であれば、いずれの音源機器についても、リモートコントローラからの識別コード指定を伴う音源接続指令により簡便かつ的確にスピーカユニットにおける音源用通信部との間での音源用無線通信を接続することができ、これにより、さらに使い勝手のよい音響システムにすることができる。
【００２０】
さらに、本発明に係る音響システムの前記制御部は、タイマによる計時において設定時点に至ると、又は、タイマによる計時において前記登録処理から設定時間が経過すると、前記記憶部に格納してある音源機器の機器情報を消去する構成にしてあると好適である。
【００２１】
例えば、ホテルの客室にスピーカユニットを設置して、宿泊客が個人所有の音源機器から送る楽曲データなどの音声データを客室のスピーカユニットで再生できるようにした場合など、その客室のスピーカユニットに対しては日々異なる音源機器が登録されて各音源機器との間で音源用無線通信が接続される。
【００２２】
このような場合、上記構成によれば、過去に登録された音源機器の機器情報がスピーカユニットの記憶部にいつまでも残ることを自動的に防止することができて、その機器情報の残留による個人情報の漏洩や、その機器情報の残留に原因する過去の登録音源機器との不測の通信接続などを確実に防止することができ、この点で安全性及び信頼性にも優れた音響システムにすることができる。
【００２３】
また、本発明に係る音響システムは、上記の各構成のいずれかにおいて、
前記スピーカユニットに通報入力端子を装備し、
前記制御部は、この通報入力端子に通報信号が入力されたとき、音源機器から送られる音声データの再生出力を停止する構成にしてあると好適である。
【００２４】
この構成によれば、火災報知器やその他の警報器などの通報器の作動時にその通報器が出力する通報信号が上記通報入力端子に入力されるようにしておくことで、それら通報器の作動時には、音源機器から送られる音声データの再生出力が自動停止されて、それまで再生音声を聴取していた使用者が通報器の通報作動を一層認知し易いようにすることができ、この点で一層有用性の高い音響システムにすることができる。
【００２５】
なお、この構成の実施において、通報端子に入力する通報信号は、火災報知器やその他の警報器が作動時に出力する通報信号に限らず、一斉放送用の通報器から出力される通報信号などであってもよい。
【００２６】
また、この構成の実施においては、通報信号の入力時に音源機器から送られる音声データの再生出力を停止するとともに、その音声データの再生出力に代え通報器からの通報音声信号をスピーカユニットにおいて再生出力するようにしてもよい。
【００２７】
また、本発明に係る音響システムは、上記の各構成のいずれかにおいて、
前記制御部が、前記スピーカ部から出力する再生音声の音量を前記リモートコントローラから前記ユニット操作指令として付与される音量調整指令に応じて調整する構成にし、
この音量調整の調整範囲上限を変更する最大音量設定部を前記リモートコントローラ又は前記スピーカユニットに装備してあると好適である。
【００２８】
この構成によれば、最大音量設定部において上記音量調整の調整範囲上限を変更することで、スピーカ部が出力する再生音声の最大音量を周辺状況などに応じて適当な音量に予め制限することができ、これにより、騒音トラブルを未然に防止することができる。
【００２９】
また、本発明に係る音響システムは、上記の各構成のいずれかにおいて、
前記制御部が、前記音源用無線通信により音源機器から前記音源用通信部に送られる音声データとして、その音源機器の電話機としての使用で発生する通話音声信号が送られたとき、通話検出部による通話音声信号の検出に基づいて前記スピーカ部からの再生音声の出力を停止する、又は、予め設定された装飾音声を前記スピーカ部から出力させる構成にしてあると好適である。
【００３０】
この構成によれば、例えば、スマートフォンなど電話機能を備える音源機器から楽曲データなどの音声データをスピーカユニットに送って再生している途中で、その音源機器が電話機として使用されたとき、電話の通話音声信号が不測にスピーカユニットから再生出力されて通話内容が他者の耳に入ってしまうことを防止することができる。
【００３１】
また、本発明に係る音響システムは、上記の各構成のいずれかにおいて、
前記スピーカユニットが、対象室の天井部において前記スピーカ部を対象室内に臨ませる配置で前記天井部の天井裏側に設置され、
そのスピーカユニットには電源入力端子を設けてあると好適である。
【００３２】
この構成によれば、スピーカユニットを天井部で天井裏側に設置するから、スピーカユニットの設置スペースを室内側において確保する必要がなく、また、スピーカユニットの電源入力端子に接続する電源線も天井裏で配線することができ、これにより、システムの設置において室内側が煩雑になることを回避することができる。
【００３３】
また、本発明に係る音響システムは、前記スピーカユニットが、対象室の天井部において前記スピーカ部を対象室内に臨ませる配置で前記天井部の天井裏側に設置され、そのスピーカユニットに電源入力端子が設けられている場合に、前記スピーカ部に防水手段を施すとともに、前記リモートコントローラを浴室内での使用が可能な防水構造にしてあると好適である。
【００３４】
この構成によれば、スピーカユニットを浴室の天井部に設置して、音源機器から送られる楽曲データなどの音声データの再生音声を入浴しながら聞くことができる。
【００３５】
また、その場合に、浴室内でのリモートコントローラの操作によりスピーカユニットの制御部にユニット操作指令を付与してスピーカユニットを容易に操作し得るとともに、同じく浴室内でのリモートコントローラの操作によりスピーカユニットの制御部に音源操作指令を付与して浴室外にある音源機器も容易に操作することができ、浴室での使い勝手の面でさらに優れた音響システムにすることができる。
【００３６】
また、本発明に係る音響システムは、上記の各構成のいずれかにおいて、
前記音源用無線通信がＢｌｕｅｔｏｏｔｈ（登録商標）規格の無線通信であると好適である。
【００３７】
つまり、Ｂｌｕｅｔｏｏｔｈ規格の無線通信では一般的に壁や天井などの障害物の存在にかかわらず半径１０ｍ程度の通信範囲を安定的に確保することができる。
【００３８】
したがって、上記構成によれば、スピーカユニットの設置箇所を中心とする半径１０ｍ程度の範囲内において壁や天井の存在にかかわらず任意の箇所に音源機器を置くことができ、この点で一層使い勝手のよい音響システムにすることができる。
【００３９】
また、Ｂｌｕｅｔｏｏｔｈ規格の無線通信であれば、他の電波式の近距離無線通信に比べ通信部を小型化することができ、これにより、スピーカユニットを小型化してその設置性も高めることができる。
【００４０】
なお、この構成の実施においては、音源用無線通信を接続対象の音源機器などに応じて、Ｂｌｕｅｔｏｏｔｈ規格の無線通信とそれ以外の通信規格の近距離無線通信とに選択的に切り換える構成にしてもよい。
【図面の簡単な説明】
【００４１】
【図１】音響システムの設置例を示す図
【図２】スピーカユニットの斜視図
【図３】スピーカユニットの下面図
【図４】音響システムのシステム構成を示すブロック図
【図５】音響システムの他の設置例を示す図
【図６】従来の音響システムを示す概略図
【発明を実施するための形態】
【００４２】
図１は、無線通信が可能な音源機器Ａと組み合わせて使用する音響システムを浴室１に設置した例を示し、この音響システムは、浴室１の天井部１ａに埋込状に設置するスピーカユニット２と、このスピーカユニット２に対するリモートコントローラ３とを備えている。
【００４３】
図２，図３に示すように、スピーカユニット２は円筒状のケース２ａを備え、このケース２ａには、浴室１の室内に向けて再生音声Ｓを出力するスピーカ部４として主スピーカ４ａ及び低音用の補助スピーカ４ｂを内蔵するとともに、主制御板５及び電源板６を内蔵してある。
【００４４】
ケース２ａの外面部には、電源入力端子８を設けるとともに、音声出力端子９ａ及び通報入力端子９ｂを備える端子台９を設けてあり、電源入力端子８には天井裏配線の電源線７を接続し、この電源線７から電源入力端子８に入力する商用交流電力は電源板６において所定電圧の直流電力に変換した上でスピーカユニット２における各電力消費部に供給する。
【００４５】
ケース２ａの下面には、スピーカユニット２を天井部１ａに設置した状態において浴室１内に臨ませる各スピーカ４ａ，４ｂのスピーカホールを開口させてあり、また、ケース２ａの下面には、各スピーカ４ａ，４ｂのスピーカホールを覆う化粧ネット１０ａを張設するとともに、各スピーカ４ａ，４ｂに対する防水手段として防水フィルム１０ｂを張設してあり、さらに、リモートコントローラ３は浴室１内での使用が可能な防水構造にしてある。
【００４６】
１１はケース２ａを天井１ａに固定する固定具である。
【００４７】
図４に示すように、スピーカユニット２の主制御板５には、通信部として、無線通信が可能な音源機器Ａから音源用無線通信Ｔａにより送られる楽曲データなどのストリーム型の音声データｘを受信する音源用通信部１２を設けるとともに、リモートコントローラ３から操作用無線通信Ｔｂにより送られる各種の操作指令ｙを受信する操作用通信部１３を設けてある。
【００４８】
また、主制御板５には、再生処理として、音源用通信部１２で受信した音源機器Ａからの音声データｘを電気音声信号ｘ’に変換するとともに、その電気音声信号ｘ’を増幅処理してスピーカ部４に送る再生部１４、並びに、操作用通信部１３で受信したリモートコントローラ３から操作指令ｙに応じて種々の操作を実行する制御部１５を設けてある。
【００４９】
つまり、この浴室設置の音響システムでは、音源機器Ａから音源用無線通信Ｔａにより送られる音声データｘを浴室天井部１ａのスピーカユニット２から再生出力することで、その再生音声Ｓを浴室１において入浴しながら聞くことができるようにしてある。
【００５０】
そして、この音響システムでは、音源用無線通信ＴａとしてＢｌｕｅｔｏｏｔｈ（登録商標）規格などの電波式の近距離無線通信を採用し、一方、操作用無線通信ＴｂにはＩｒＤＡ規格などの赤外線式の近距離無線通信を採用してある。
【００５１】
即ち、この浴室設置の音響システムでは、浴室１においてスピーカユニット２からの再生音声Ｓを聴取する使用者が浴室天井部１ａのスピーカユニット２に対してリモートコントローラ３による操作指令ｙの付与を行なうことから、その操作指令ｙの付与に用いる操作用無線通信Ｔｂには、そのような用途に適した無線通信としてＩｒＤＡ規格などの赤外線式の近距離無線通信を採用してある。
【００５２】
一方、音源用無線通信ＴａにはＢｌｕｅｔｏｏｔｈ規格などの電波式の近距離無線通信を採用することで、スピーカユニット２を中心とする半径十数ｍ程度の範囲内であれば音源機器Ａを防水上、浴室１外に置いた状態でも、壁や天井を支障とすることなく音源機器Ａとスピーカユニット２との間での音源用無線通信Ｔａを安定的かつ良好に確立できるようにしてある。
【００５３】
リモートコントローラ３は、操作用無線通信Ｔｂによりスピーカユニット２に送る操作指令ｙとして、スピーカユニット２に対するユニット操作指令ｙａと音源機器Ａに対する音源操作指令ｙｂとを使用者によるキー操作により選択的に送信する構成にしてあり、これに対し、スピーカユニット２における制御部１５は、操作用通信部１３が受信するユニット操作指令ｙａに応じてスピーカユニット２を操作する構成にしてある。
【００５４】
また、この制御部１５は、操作用通信部１３が受信する音源操作指令ｙｂに応じ、音源機器Ａと音源用通信部１２との間での音源用無線通信Ｔａを利用して音源機器Ａを操作する構成にしてある。
【００５５】
具体的には、リモートコントローラ３は、ユニット操作指令ｙａとしてユニットＯＮ／ＯＦＦ指令、音量調整指令、音源登録指令、音源接続指令などを送信し、また、音源操作指令ｙｂとして再生／一時停止指令、スキップ指令、リバーススキップ指令などを送信するものにしてある。
【００５６】
つまり、制御部１５は、リモートコントローラ３からユニットＯＮ／ＯＦＦ指令が付与されると、常時通電の操作用通信部１３を除くスピーカユニット２の電源をＯＮ／ＯＦＦ操作するとともに、リモートコントローラ３から音量調整指令が付与されると、再生部１４からスピーカ部４に送る電気音声信号ｘ’の増幅度を調整して再生音声Ｓの音量を調整する。
【００５７】
また、制御部１５は、リモートコントローラ３から再生／一時停止指令が付与されると、音源用通信部１２から音源機器Ａへの音源用無線通信Ｔａを用いて音源機器Ａの再生／一時停止操作を行い、リモートコントローラ３からスキップ指令やリバーススキップ指令が付与されると、音源用通信部１２から音源機器Ａへの音源用無線通信Ｔａを用いて音源機器Ａのスキップ操作やリバーススキップ操作を行なう。
【００５８】
さらに、リモートコントローラ３には、登録及び接続用の操作キーとして、互いに異なる識別コードｋと関連付けた複数のペアリングキー３ａを装備してあり、これらペアリングキー３ａの操作により音源登録指令及び音源接続指令をスピーカユニット２の制御部１５に付与する構成にしてある。
【００５９】
そして、音源登録指令はペアリングキー３ａを長押し操作することで付与するようにしてあり、スピーカユニット２との音源用無線通信Ｔａが可能な範囲内に探索可能状態にした音源機器Ａがある状況において、いずれかのペアリングキー３ａを長押し操作することにより、その音源機器Ａを長押し操作したペアリングキー３ａの識別コードｋと関連付けた状態（略言すれば、長押し操作したペアリングキー３ａと関連付けた状態）でスピーカユニット２に登録できるようにしてある。
【００６０】
具体的には、いずれかのペアリングキー３ａが長押し操作されてリモートコントローラ３から操作用無線通信Ｔｂによりスピーカユニット２の制御部１５に音源登録指令が付与されると、制御部１５は、音源用通信部１２から探索用近距離無線信号ｓｓを発信させて、その探索用近距離無線信号ｓｓを受信した音源機器Ａからその音源機器Ａの機器情報ｉを音源用無線通信Ｔａにより返信させ、これにより、登録処理として、返信された機器情報ｉを長押し操作されたペアリングキー３ａの識別コードｋと関連付けた状態でスピーカユニット２における記憶部１７に格納する構成にしてある。
【００６１】
なお、この登録処理は、複数の音源機器Ａについてペアリングキー３ａごとに行なうことができ、制御部１５は、登録処理した複数の音源機器Ａ夫々の機器情報ｉを並列的に記憶部１７に格納する。
【００６２】
また、音源接続指令はペアリングキー３ａを短く押し操作することで付与するようにしてあり、上記の登録処理の後は、随時、登録処理済のペアリングキー３ａを短く押し操作するだけで、音源機器Ａとスピーカユニット２との間における音源用無線通信Ｔａが接続されるようにしてある。
【００６３】
具体的には、登録処理済のペアリングキー３ａが短く押し操作されてリモートコントローラ３から操作用無線通信Ｔｂによりスピーカユニット２の制御部１５に音源接続指令が付与されると、制御部１５は、記憶部１７に格納した機器情報ｉのうち短く押し操作されたペアリングキー３ａの識別コードｋ（即ち、ペアリングキー３ａの押し操作に伴う指定識別コード）が関連付けられている機器情報ｉに基づき、その格納機器情報ｉに対応する音源機器Ａ（即ち、指定された音源機器）とスピーカユニット２との間での音源用無線通信Ｔａを接続操作し、この接続により、その指定音源機器Ａからスピーカユニット２への音声データｘの送信、及び、音源用無線通信Ｔａを用いた指定音源機器Ａの操作を可能にする。
【００６４】
なお、制御部１５は、リモートコントローラ３から付与される音源操作指令ｙｂに応じ音源用無線通信Ｔａを用いて音源機器Ａを操作する場合にも、記憶部１７における対応音源機器Ａの格納機器情報ｉに基づいて音源機器Ａを操作する構成にしてある。
【００６５】
さらに、制御部１５は上記の各機能に加え、次の（イ）〜（ニ）の付加機能を備えるものにしてある。
【００６６】
（イ）スピーカユニット２において音源機器Ａから送られる音声データｘの再生出力が設定休止時間Δｔａに時間にわたって行われなかったとき、タイマ１８による設定休止時間Δｔａの計時に基づき、常時通電の操作用通信部１３を除くスピーカユニット２の電源を自動的にＯＦＦ操作して、スピーカユニット２を自動的に待機状態にする。
【００６７】
（ロ）音源機器Ａがスマートフォンなど電話機能を有するものである場合、音源用無線通信Ｔａにより音源機器Ａからスピーカユニット２の音源用通信部１２に送られる音声データｘとして、その音源機器Ａの電話機としての使用で発生する通話音声信号が送られたときは、通話検出部１５ａによる通話音声信号の検出に基づいて、スピーカ部４からの再生音声Ｓの出力を自動的に停止する、又は、その通話音声に代えて予め設定された装飾音声をスピーカ部４から出力させる。
【００６８】
（ハ）端子台９における通報入力端子９ｂに火災報知器などの通報器１９が作動時に発信する通報信号ｚが端子台９における通報入力端子９ｂに入力されるようにしてことで、それら通報信号ｚの入力があったとき、音源機器Ａから送られる音声データｘの再生出力を自動的に停止する。
【００６９】
（ニ）リモートコントローラ３から付与される音量調整指令に応じスピーカユニット２の再生部１４で電気音声信号ｘ’の増幅度を調整してスピーカ部４から出力する再生音声Ｓの音量を調整することに対し、その音量調整の調整範囲上限をリモートコントローラ３に装備した最大音量設定部２０に対する設定変更操作に応じて変更する。
【００７０】
図５は上記の音響システムをホテルの客室などに設置した例を示し、対象室１’の天井部１ａ’には、メインスピーカユニット２Ａとサブスピーカユニット２Ｂとを間隔を空けて夫々、埋め込み状態で設置してある。
【００７１】
先の図４にも示すように、メインスピーカユニット２Ａは前述した浴室設置のスピーカユニット２と構造及び機能ともにほぼ同じものであり、一方、サブスピーカユニット２Ｂには、音声入力端子９ｃ及びメインスピーカユニット２Ｂと同様のスピーカ部４のみを装備してある。
【００７２】
メインスピーカユニット２Ａの音声出力端子９ａとサブスピーカユニット２Ｂの音声入力端子９ｃとは、天井裏において配線する音声信号線２１により接続してあり、これにより、メインスピーカユニット２Ａにおける再生部１４で再生処理した電気音声信号ｘ’をメインスピーカユニット２Ａ及びサブスピーカユニット２Ｂ夫々のスピーカ部４に送って、それら２つのスピーカユニット２Ａ，２Ｂから再生音声Ｓを対象室１’内に出力するようにしてある。
【００７３】
そして、メインスピーカユニット２Ａにおける制御部１５は、前述した浴室設置の場合と同様、リモートコントローラ３から操作用無線通信Ｔｂによりメインスピーカユニット２の操作用通信部１３に送られるユニット操作指令ｙａ（ユニットＯＮ／ＯＦＦ指令、音量調整指令、音源登録指令、音源接続指令など）に応じてメインスピーカユニット２Ａ及びサブスピーカユニット２Ｂを操作する。
【００７４】
また、この制御部１５は、同じくリモートコントローラ３から操作用無線通信Ｔｂによりメインスピーカユニット２の操作用通信部１３に送られる音源操作指令ｙｂ（再生／一時停止指令、スキップ指令、リバーススキップ指令など）に応じ、音源機器Ａとメインスピーカユニット２Ａとの間での音源用無線通信Ｔａ（Ｂｌｕｅｔｏｏｔｈ規格の無線通信）を利用して音源機器Ａを操作する。
【００７５】
そしてさらに、この制御部１５は、前述した（イ）〜（ニ）の付加機能に加えて、ホテルの客室などに設置する場合に適した次の（ホ），（へ）の付加機能を備えるものにしてある。
【００７６】
（ホ）リモートコントローラ３から操作用無線通信Ｔｂによりユニット操作指令ｙａとして付与されるモード切換指令に応じて、再生音声Ｓの出力モードをステレオ出力モードとモノ出力モードとに切り換える。
【００７７】
即ち、ステレオ出力モードでは、メインスピーカユニット２Ａとサブスピーカユニット２Ｂのうちの一方を右スピーカユニットとしかつ他方を左スピーカユニットとして、音源機器Ａから音源用無線通信Ｔａにより送られる音声データｘの再生音声Ｓをメインスピーカユニット２Ａ及びサブスピーカユニット２Ｂからステレオ状態で出力する。
【００７８】
また、モノ出力モードでは、音源機器Ａから音源用無線通信Ｔａにより送られる音声データｘの再生音声Ｓをメインスピーカユニット２Ａ及びサブスピーカユニット２Ｂの夫々からモノ状態で出力する。
【００７９】
（へ）タイマ１８による計時に基づき、毎日、設定時点ｔｂ（例えば午前０時）に至ると（又は、タイマ１８による計時において前記登録処理から設定時間Δｔｃが経過すると）、記憶部１７に格納してある音源機器Ａの機器情報ｉを自動消去する。
【００８０】
なお、本発明による音響システムは、浴室やホテルの客室などに限らず、一般住居の居間や寝室あるいはキッチンや子供部屋など、どのような部屋に設置してもよい。
【００８１】
また、制御部１５に備えさせる付加機能はシステムの設置場所に応じて変更するなど、必要に応じて前記（イ）〜（へ）の付加機能等のうちから適宜に取捨選択してもよい。
【００８２】
上記の例では、スピーカユニット２，２Ａ，２Ｂを天井部に設置する例を示したが、スピーカユニット２，２Ａ，２Ｂを壁や床上などに設置するものにしてもよい。
【符号の説明】
【００８３】
１，１’            対象室
２，２Ａ            スピーカユニット
３                  リモートコントローラ
Ａ                  音源機器
ｘ                  音声データ
１２                音源用通信部
１４                再生部
４                  スピーカ部
１５                制御部
Ｔａ                音源用無線通信
ｙ                  操作指令
ｙａ                ユニット操作指令
ｙｂ                音源操作指令
Ｔｂ                操作用無線通信
ｓｓ                探索用無線信号
ｉ                  機器情報
１７                記憶部
ｋ                  識別コード
１８                タイマ
ｔｂ                設定時点
Δｔｃ              設定時間
９ｂ                通報入力端子
ｚ                  通報信号
ｘ’                電気音声信号
２０                最大音量設定部
１５ａ              通話検出部
１ａ，１ａ’        天井部
８                  電源入力端子
１０ｂ              防水手段
【図１】
0005610354.tif 000002
【図２】
0005610354.tif 000003
【図３】
0005610354.tif 000004
【図４】
0005610354.tif 000005
【図５】
0005610354.tif 000006
【図６】
0005610354.tif 000007